(57)【要約】【課題】関心地点（ＰＯＩ）データベース及びパワーエンジンを具備するシステムを提供する。【解決手段】本発明のシステムは、関心地点（ＰＯＩ）データベース及びパワーエンジンを具備する。ＰＯＩデータベースは、衛星ナビゲーションシステム（ＳＮＳ）に対して用いた複数のＰＯＩを格納するように用いる。ＰＯＩデータベースから複数の所望のＰＯＩを検索するために、かつ、複数のダウンロードＰＯＩとして所望のＰＯＩを端末デバイスにネットワーク経由でダウンロードするために、パワーエンジンはＰＯＩデータベースに接続されている。パワーエンジンはまた、変更ＰＯＩを端末デバイスからネットワーク経由で受信するとともに、変更ＰＯＩをＰＯＩデータベースにアップロードすることによってＰＯＩデータベースを更新する。【選択図】図３
2010211178.tif 000002
【特許請求の範囲】
【請求項１】
衛星ナビゲーションシステム（ＳＮＳ）に対して用いる複数のＰＯＩを格納するための関心地点（ＰＯＩ）データベースと、
前記ＰＯＩデータベースに接続するパワーエンジンとを具備してなり、
前記パワーエンジンは、
前記ＰＯＩデータベースから複数の所望のＰＯＩを検索するとともに、複数のダウンロードＰＯＩとして前記所望のＰＯＩをネットワーク経由で端末デバイスにダウンロードし、かつ、
前記端末デバイスから前記ネットワーク経由で変更ＰＯＩを受信するとともに、
前記ＰＯＩデータベースに前記変更ＰＯＩをアップロードすることによって、前記ＰＯＩデータベースを更新することを特徴とするシステム。
【請求項２】
前記ダウンロードＰＯＩは、特定フォーマット・ドキュメントを具備することを特徴とする請求項１に記載のシステム。
【請求項３】
前記特定フォーマット・ドキュメントは、ＳＮＳ内蔵端末デバイスによって図示して表示することが可能であることを特徴とする請求項２に記載のシステム。
【請求項４】
前記特定フォーマット・ドキュメントは、ネットワーク端末デバイスによって変更することが可能であることを特徴とする請求項２に記載のシステム。
【請求項５】
前記ダウンロードＰＯＩは、複数の対応位置におけるＰＯＩデジタル地図上においてマークすることを特徴とする請求項１に記載のシステム。
【請求項６】
前記システムは、
複数のデジタル地図を格納するための地図データベースと、
前記地図データベース内に格納した少なくとも１つの前記デジタル地図に前記所望のＰＯＩを組み合わせるために、かつ、前記ＰＯＩデジタル地図を生成するために、前記地図データベースと、前記パワーエンジンと、前記ＰＯＩデータベースとに接続した上位エンジンと
をさらに具備することを特徴とする請求項５に記載のシステム。
【請求項７】
前記地図データベースは、前記端末デバイスに前記デジタル地図を提供可能であるとともに、前記端末デバイスは、前記地図データベースを更新するように前記変更したデジタル地図を前記ネットワーク経由でアップロード可能であることを特徴とする請求項６に記載のシステム。
【請求項８】
前記端末デバイスは、ハイパーテキスト転送プロトコル（ＨＴＴＰ）によって、前記ネットワーク経由で前記パワーエンジンと通信可能なネットワーク端末デバイスを具備することを特徴とする請求項１に記載のシステム。
【請求項９】
前記端末デバイスは、前記ネットワーク経由で前記パワーエンジンと通信可能なＳＮＳ内蔵端末デバイスを具備することを特徴とする請求項１に記載のシステム。
【請求項１０】
前記パワーエンジンは、ストラクチャード・クェリー言語（ＳＱＬ）プロトコルによって、前記ＰＯＩデータベースと通信することを特徴とする請求項１に記載のシステム。
【請求項１１】
前記端末デバイスは、ハイパーテキスト転送プロトコル（ＨＴＴＰ）によって、前記変更ＰＯＩを前記パワーエンジンに転送することを特徴とする請求項１に記載のシステム。
【請求項１２】
複数のＰＯＩを格納し、かつ、前記ＰＯＩを提供するとともに、変更ＰＯＩをネットワーク経由で受信し、かつ、前記変更ＰＯＩによって前記システムを更新するためのシステムと、
前記システムと前記ネットワーク経由で通信するとともに、複数のダウンロードＰＯＩとして前記ＰＯＩを前記システムから前記ネットワーク経由でダウンロードし、かつ、前記システム前記ネットワーク経由で前記変更ＰＯＩをアップロードするための少なくも１つの端末デバイスとを具備することを特徴とする関心地点（ＰＯＩ）情報システム。
【請求項１３】
前記ＰＯＩを格納するためのＰＯＩデータベースと、
前記ＰＯＩデータベースに接続するパワーエンジンとを具備してなり、
前記パワーエンジンは、
前記ＰＯＩデータベースから複数の所望のＰＯＩを検索するとともに、前記ダウンロードＰＯＩとして前記所望のＰＯＩを前記端末デバイスに前記ネットワーク経由でダウンロードし、かつ、
前記変更ＰＯＩを、前記端末デバイスから前記ネットワーク経由で受信するとともに、
前記変更ＰＯＩを前記ＰＯＩデータベースにアップロードすることによって、前記ＰＯＩデータベースを更新することを特徴とする請求項１２に記載のＰＯＩ情報システム。
【請求項１４】
前記ダウンロードＰＯＩは、特定フォーマット・ドキュメントを具備することを特徴とする請求項１２に記載のＰＯＩ情報システム。
【請求項１５】
前記ダウンロードＰＯＩは、複数の対応位置におけるＰＯＩデジタル地図上においてマークすることを特徴とする請求項１２に記載のＰＯＩ情報システム。
【請求項１６】
前記システムは、
複数のデジタル地図を格納するための地図データベースと、
前記地図データベース内に格納した少なくとも１つの前記デジタル地図に前記所望のＰＯＩを組み合わせるために、かつ、前記ＰＯＩデジタル地図を生成するために、前記地図データベースと、前記パワーエンジンと、前記ＰＯＩデータベースとに接続した上位エンジンと
をさらに具備することを特徴とする請求項１５に記載のＰＯＩ情報システム。
【請求項１７】
前記地図データベースは、前記端末デバイスに前記デジタル地図を提供可能であるとともに、前記端末デバイスは、前記地図データベースを更新するように前記変更したデジタル地図を前記ネットワーク経由でアップロード可能であることを特徴とする請求項１６に記載のＰＯＩ情報システム。
【請求項１８】
前記端末デバイスは、前記システムにアクセスするために衛星ナビゲーションシステム（ＳＮＳ）内蔵端末デバイスを包含し、かつ、第１ＳＮＳ信号をＳＮＳに送信するとともに、第２ＳＮＳ信号を前記ＳＮＳから受信することを特徴とする請求項１２に記載のＰＯＩ情報システム。
【請求項１９】
前記ＰＯＩ情報システムは、前記第１ＳＮＳ信号を送信するとともに、前記第２ＳＮＳ信号を受信することによって、前記所望のＰＯＩへのナビゲーションを可能にすることができることを特徴とする請求項１８に記載のＰＯＩ情報システム。
【請求項２０】
端末デバイスにおいて、変更した関心地点（ＰＯＩ）を生成するステップと、
衛星ナビゲーションシステム（ＳＮＳ）に対して用いる複数のＰＯＩを格納するＰＯＩデータベースに、変更ＰＯＩをネットワーク経由でアップロードするステップと、
前記変更ＰＯＩによって前記ＰＯＩデータベースを更新するステップと、
前記ＰＯＩデータベースから前記端末デバイスに、前記ＰＯＩを前記ネットワーク経由でダウンロードするステップとを具備することを特徴とする方法。
【請求項２１】
少なくとも１つのデジタル地図を前記ＰＯＩに組み合わせるステップと、
複数の対応位置において、前記ＰＯＩでマークされたＰＯＩデジタル地図を生成するステップと、
前記ＰＯＩデジタル地図を前記ネットワーク経由でダウンロードするステップとを具備することを特徴とする請求項２０に記載の方法。
【発明の詳細な説明】
【技術分野】
【０００１】
本発明は、衛星ナビゲーションシステム・アプリケーションにおける関心地点システムに関する。本願は、２００８年３月１２日出願の米国特許仮出願第６１／０６９，１２１号、及び２００８年３月２１日出願の米国特許仮出願第６１／０７０，３０２号の優先権を主張し、これらを引用することにより、その開示内容全体が本願明細書に組込まれる。
【背景技術】
【０００２】
関心地点（point of interest = ＰＯＩ）は、全地球位置測定システム（ＧＰＳ）のような衛星ナビゲーションシステム（ＳＮＳ）に対して広く用いられる特定の点位置である。ＧＰＳのＰＯＩは、関心地点の緯度情報及び経度情報を具備している。関心地点の名称及び／又は説明も、含んでいてもよい。カテゴリー又は電話番号のような他の情報も付加してもよい。ＧＰＳアプリケーションは、異なるカテゴリーのＰＯＩを地図上に図示して表すアイコンを用いてもよい。
【０００３】
ＧＰＳ対応デバイスは勿論、デジタル地図を用いるソフトウェア・アプリケーションも益々普及し、ＰＯＩのためのアプリケーションも拡大している。ＰＯＩは、例えば、買い物店、病院、ガソリンスタンド、レストラン、観光活動、出し物、公園など、多様な種類の情報を表すように用いてもよい。
【発明の概要】
【発明が解決しようとする課題】
【０００４】
しかしながら、従来のＧＰＳデバイスにおけるＰＯＩは完全ではないこともあり、利用者を誤った方向に導くような、誤った／古い情報を具備することもある。
【課題を解決するための手段】
【０００５】
一構成において、本発明のシステムは、関心地点（ＰＯＩ）データベース及びパワーエンジンを具備する。ＰＯＩデータベースは、衛星ナビゲーションシステム（ＳＮＳ）に対して用いた複数のＰＯＩを格納するように用いる。ＰＯＩデータベースから複数の所望のＰＯＩを検索するために、かつ、複数のダウンロードＰＯＩとして所望のＰＯＩを端末デバイスにネットワーク経由でダウンロードするために、パワーエンジンはＰＯＩデータベースに接続している。パワーエンジンはまた、端末デバイスからネットワーク経由で変更ＰＯＩを受信するとともに、ＰＯＩデータベースに変更ＰＯＩをアップロードすることによってＰＯＩデータベースを更新する。
【図面の簡単な説明】
【０００６】
【図１】本発明の一実施形態によるＰＯＩ情報システムを示すブロック図である。
【図２】本発明の他の実施形態によるＰＯＩ情報システムを示すブロック図である。
【図３】本発明の一実施形態による、ＰＯＩ情報システムによって実行する処理を示すフローチャー図である。
【発明を実施するための形態】
【０００７】
特許請求の対象である実施形態の特徴及び利点は、以下の詳細な記載の進行とともに、同じ数字は同じ部分を示す図１〜図３の図面を参照することによって明らかになる。
【０００８】
本発明の実施の形態について、詳細に説明する。本発明はこれらの実施形態と併せて記載するが、それらは本発明をこれらの実施形態に限定するように意図したものではないと理解する。むしろ、本発明は、代替、変更、及び均等なものを対象とするように意図したものであり、それらは添付した特許請求の範囲によって定義するように本発明の精神及び範囲内に包含するものである。
【０００９】
本明細書に記載する実施形態は、１又は２以上のコンピューター又は他のデバイスによって実行する、例えば、プログラム・モジュールのような、コンピューター使用可能媒体のいくつかの形式上に備わっているコンピューター実行可能命令の一般的な内容において議論することができる。一般に、プログラム・モジュールは、ルーチン、プログラム、オブジェクト、コンポーネント、データ構造などを具備し、それらは特定のタスクを実行するか又は特定のアブストラクト・データ型を実装する。プログラム・モジュールの機能性は、様々な実施形態において所望したように組み合わせ又は分配する。以下の詳細な記載のいくつかの部分は、処理、論理ブロック、プロセス、及びコンピューター・メモリ内のデータビット上における処理の他の象徴表現に関して説明する。これらの記載及び説明は、それらの作業内容を当業者に最も効果的に伝えるためのデータ処理技術において、当業者によって用いられる手段である。本明細書において、処理、論理ブロック、プロセス、又はそれらと類似のものは、自己無撞着(self-consistent)な一連のステップであるか又は所望の結果を導く命令であると考えられる。前記ステップは、物理量の物理的処理を必要とするステップである。通常、必ずしも必要ではないが、これらの量は、コンピューターシステムにおいて、格納し、転送し、組み合わせ、比較し、かつ、別な方法で処理することが可能な電子的又は磁気的な信号形式を取る。
【００１０】
しかしながら、これら及び類似の用語は全て適切な物理量に関連するものであるとともに、これらの量に適用する単に便利なラベルであると考えておくべきである。以下の議論から明らかなような特定の別の方法である場合を除いて、本明細書を通じて、例えば「生成する」、「アップロードする」、「更新する」、「ダウンロードする」、「組み合わせる」、又はそれらと類似の用語の使用についての議論は、コンピューターシステム又は類似の電子コンピューティングデバイスの動作及びプロセスを参照するが、それはコンピューターシステムのレジスタ及びメモリ内の物理（電子的）量として表すデータを処理するとともに、コンピューターシステムのメモリ又はレジスタ内の、あるいはそのような他の情報記憶装置、送信デバイス、又は表示デバイス内の物理量として表す他のデータに変換するものである。
【００１１】
例示としてであって、限定されるものではないが、前記コンピューター使用可能媒体は、コンピューター記憶媒体及び伝達媒体であってもよい。コンピューター記憶媒体は、例えば、コンピューター可読な命令、データ構造、プログラム・モジュール、又は他のデータのような情報を記憶する任意の方法又は技術において組込まれた、揮発性媒体及び非揮発性媒体、取外し可能媒体及び取外し不可能媒体を具備してもよい。コンピューター記憶媒体は、限定されるものではないが、ランダムアクセスメモリ（ＲＡＭ）、読出し専用メモリ（ＲＯＭ）、電気的消去可能ＲＯＭ（ＥＥＰＲＯＭ）、フラッシュメモリ又は他のメモリ技術、コンパクトディスクＲＯＭ（ＣＤ−ＲＯＭ）、デジタル多用途ディスク（ＤＶＤ）又は他の光学的記憶媒体、磁気カセット、磁気テープ、磁気ディスク記憶媒体又は他の磁気記憶デバイス、あるいは所望の情報を記憶するように用い得る任意の他の媒体を具備してもよい。
【００１２】
前記伝達媒体は、搬送波又は他の輸送機構のような変調データ信号において、コンピューター可読な命令、データ構造、プログラム・モジュール、又は他のデータを具現化でき、かつ、任意の情報伝達媒体を具備する。用語「変調データ信号」は、１又は２以上のそれらの特性の集合を有するか、又は信号内の情報を符号化するような方法において変更する信号を意味する。例示としてであって、限定されるものではないが、伝達媒体は、有線ネットワーク媒体又は直接有線接続媒体のような有線媒体、及び、音響媒体、ラジオ周波数（ＲＦ）媒体、赤外線媒体、及び他の無線媒体のような無線媒体を具備する。上記のいずれの組み合わせはまた、コンピューター可読媒体の範囲に包含される。
【００１３】
さらに、以下の本発明の詳細な記載において、本発明の厳密な理解を提供するために数多くの具体的な詳細を説明する。しかしながら、本発明はこれらの具体的な詳細がなくとも実施してよいことを当業者は認識する。他の例において、周知の方法、処理、構成要素、及び回路は、本発明の観点を不必要に曖昧にしないようにするため、詳細に記載してはいない。
【００１４】
本発明の実施形態によって、ＰＯＩシステムを提供する。そのような一実施形態において、ＰＯＩシステムは開放構造を有するとともに、端末デバイスによってネットワーク経由でアクセスしてもよい。この場合、端末デバイスはＰＯＩ情報をダウンロードできるだけでなく、システム内においてＰＯＩ情報を補完するとともに変更／更新することができる。結果として、ＰＯＩシステムを用いるＳＮＳアプリケーションの実行が改善可能となる。
【００１５】
本発明による実施形態はＧＰＳシステムの内容において議論するが、しかしながら、本発明はそのように限定されるものではない。一般に、本発明は、その他の形式の衛星ナビゲーションシステムのための使用に大変良く適している。
【００１６】
図１に示すように、本発明の一実施形態によるＰＯＩ情報システム１００を説明する。ＰＯＩ情報システム１００は、システム１５０と、例えばインターネットのような、システム１５０に接続するネットワーク１０８と、１又は２以上の端末デバイスとを具備している。一実施形態において、端末デバイスは、ネットワーク端末デバイス１１２であってもよく、あるいは、例えばＧＰＳ内蔵端末デバイス１１４のような端末デバイスに内蔵したＳＮＳであってもよい。ネットワーク端末デバイス１１２及びＧＰＳ内蔵端末デバイス１１４は、ネットワーク１０８に接続するとともに通信可能である。
【００１７】
前記ネットワーク端末デバイス１１２及びＧＰＳ内蔵端末デバイス１１４は、ネットワーク１０８経由でシステム１５０と通信するとともに、ダウンロードＰＯＩとしてＰＯＩをシステム１５０からネットワーク１０８経由でダウンロードし、かつ、システム１５０にネットワーク１０８経由で新しい／変更ＰＯＩをアップロードするために処理可能である。すなわち、新しいＰＯＩはシステム１５０に追加してもよいとともに、システム１５０内に存在するＰＯＩは端末デバイスによって変更してもよい。
【００１８】
前記ネットワーク端末デバイス１１２は、例えば、ネットワーク１０８にアクセス可能であるとともに、ネットワーク１０８に接続する他のデバイスと通信可能な、ノート型パソコン、携帯電話、又は携帯端末（ＰＤＡ）のような端末デバイスである。ＧＰＳ内蔵端末デバイス１１４は、システム１５０にアクセス可能であるとともに、第１ＳＮＳ信号（例えば、ＧＰＳ信号）をＳＮＳ（例えば、ＧＰＳ）に送信可能であり、かつ、第２ＳＮＳ信号をＳＮＳから受信可能な端末デバイスである。一実施形態において、ＧＰＳ内蔵端末デバイス１１４は、ＧＰＳ内蔵端末デバイス１１４の位置、速度、方向、及び／又は時間などを、ＧＰＳ信号を介して決定するようなＧＰＳ機能を有する。一実施形態において、ＧＰＳ内蔵端末デバイス１１４は、限定されるものではないが、ＧＰＳ内蔵ノート型パソコン、ＧＰＳ内蔵携帯電話、又はＧＰＳ内蔵ＰＤＡであってもよい。
【００１９】
前記システム１５０は、ＰＯＩを格納するとともに、ＰＯＩを提供し、かつ、ネットワーク端末デバイス１１２及び／又はＧＰＳ内蔵端末１１４デバイスから、ネットワーク１０９経由で新しい／変更ＰＯＩを受信するように用いてもよく、かつ、新しい／変更ＰＯＩによってシステム１５０を更新する。一実施形態において、システム１５０は、ＰＯＩデータベース１２０と、パワーエンジン(power engine)１０６とを具備している。
【００２０】
前記ＰＯＩデータベースは、ＰＯＩと、ＰＯＩに関連した対応情報とを格納するように用いてもよい。一実施形態において、ＰＯＩデータベー１２０内に格納したＰＯＩ情報は、限定されるものではないが、例えば、緯度情報、経度情報のような対応するＰＯＩの位置情報と、高度情報、ＰＯＩのアドレス、ＰＯＩのウェブサイト、ＰＯＩの写真、及びＰＯＩの記載とを具備してもよい。さらに、ＰＯＩは、異なる国、あるいは、例えば買い物店、病院、ガソリンスタンド、レストラン、観光活動、公園のようなカテゴリー、又は他のカテゴリーに分類してもよい。
【００２１】
前記パワーエンジン１０６は、ネットワーク端末デバイス１１２及び／又はＧＰＳ内蔵端末デバイス１１４と通信するためのインターフェースとしての機能を果たしてもよい。一実施形態において、パワーエンジン１０６は、ストラクチャード・クェリー言語（Structured Query Language = ＳＱＬ）によってＰＯＩデータベース１２０と通信する。一実施形態において、ネットワーク端末デバイス１１２は、ハイパーテキスト転送プロトコル（ＨＴＴＰ）によって、ネットワーク１０８経由でパワーエンジン１０６と通信してもよい。ＧＰＳ内蔵端末デバイス１１４もまた、ネットワーク１０８経由でパワーエンジン１０６と通信してもよい。
【００２２】
一実施形態において、前記パワーエンジン１０６はまた、新しい／変更ＰＯＩをＰＯＩデータベース１２０にアップロードしてもよいとともに、ＰＯＩデータベース１２０においてＰＯＩを検索してもよく、かつ、ＰＯＩデータベース１２０からＰＯＩをダウンロードしてもよい。
【００２３】
本発明の実施形態によれば、パワーエンジン１０６が同伴するＰＯＩデータベース１２０は、オープン・アーキテクチャーである。ネットワーク端末デバイス１１２及び／又はＧＰＳ内蔵端末デバイス１１４は、ＰＯＩデータベース１２０からネットワーク１０８経由で、所望のＰＯＩを検索してもよく、所望のＰＯＩをダウンロードしてもよい。さらに、パワーエンジン１０６は、ネットワーク端末デバイス１１２及び／又はＧＰＳ内蔵端末デバイス１１４から、新しい／変更ＰＯＩを受信してもよく、かつ、ＰＯＩデータベース１２０に新しい／変更ＰＯＩをアップロードすることによってＰＯＩデータベース１２０を更新してもよい。一実施形態において、ネットワーク端末デバイス１１２及び／又はＧＰＳ内蔵端末デバイス１１４は、ハイパーテキスト転送プロトコル（ＨＴＴＰ）によってパワーエンジン１０６に新しい／変更ＰＯＩを転送してもよい。この場合、ネットワーク端末デバイス１１２及び／又はＧＰＳ内蔵端末デバイス１１４は、システム１５０においてＰＯＩを補完及び修正するように用いてもよいとともに、それゆえ、ＰＯＩ情報システム１００を時宜に更新可能である。その結果、ＰＯＩ情報システム１００を用いるＳＮＳアプリケーションの実行が改善可能である。
【００２４】
一実施形態において、新しい／変更ＰＯＩは、利用者によって匿名でＰＯＩデータベース１２０にアップロードしてもよい。ＰＯＩデータベース１２０内に格納したＰＯＩもまた、利用者によって匿名でダウンロードしてもよい。すなわち、一実施形態において、利用者がＰＯＩデータベース１２０にアクセスするためにアカウント登録は必要ではない。他の実施形態においては、利用者がＰＯＩデータベース１２０にアクセスするために利用者アカウントが登録される。両方の状況において、新しい／変更ＰＯＩはＰＯＩデータベース１２０内に格納及び更新してもよく、かつ、ＰＯＩデータベース１２０はアクセスしてもよい。
【００２５】
一実施形態において、新しい／変更ＰＯＩを入力するとともにＰＯＩデータベース１２０に更新する前に、レビューの過程は必要ではない。他の実施形態において、品質改善のために、新しい／変更ＰＯＩはＰＯＩデータベース１２０に入力する前に、所定のプロトコル又は基準によってレビューする。より詳細には、システム１５０は、破壊行為を避けるために、又はＰＯＩの問題及び事実誤認を識別／固定するために、いくつかの特定の規定／基準に依存してもよい。
【００２６】
前記ＰＯＩをアップロードするプロセスを説明するために、新しい／変更ＰＯＩはガソリンスタンドであると仮定すると、ガソリンスタンドの対応情報は、ネットワーク端末デバイス１１２及び／又はＧＰＳ内蔵端末デバイス１１４に入力してもよく、かつ、そのような情報は、ネットワーク１０８及びパワーエンジン１０６経由で、ＰＯＩデータベース１２０にアップロード／転送してもよい。一実施形態において、新しい／変更ＰＯＩは、特定フォーマット・ドキュメントとしてアップロードしてもよいとともに、限定されるものではないが、ＰＯＩの緯度情報、経度情報、高度情報、名称情報、ウェブサイト情報、写真情報、電話情報、及びカテゴリー情報を具備してもよい。
【００２７】
一実施形態において、前記ネットワーク端末デバイス１１２は、新しい／変更ＰＯＩをＰＯＩデータベース１２０にアップロードしてもよい。例えば、新しい／変更ＰＯＩ情報は、例えば利用者によって、ネットワーク端末デバイス１１２に入力してもよいとともに、ネットワーク端末デバイス１１２は、新しい／変更ＰＯＩ情報を、ネットワーク１０８及びパワーエンジン１０６経由で、ＰＯＩデータベース１２０に転送してもよい。一実施形態において、新しい／変更ＰＯＩは、ハイパーテキスト転送プロトコル（ＨＴＴＰ）によって、特定フォーマット・ドキュメントとしてシステム１５０にアップロードしてもよい。
【００２８】
一実施形態において、前記ＧＰＳ内蔵端末デバイス１１４は、ＧＰＳ信号によって現在位置を生成してもよいとともに、現在位置をシステム１５０にアップロードしてもよい。例えば、もしＧＰＳ内蔵端末デバイス１１４がガソリンスタンドであるならば、ＧＰＳ内蔵端末デバイス１１４はＧＰＳ信号を通じてガソリンスタンドの位置情報を生成してもよいとともに、ガソリンスタンドの位置情報は、ネットワーク１０８及びパワーエンジン１０６経由で、ＧＰＳ内蔵端末デバイス１１４を通じてＰＯＩデータベース１２０にアップロードしてもよい。他の実施形態において、ネットワーク１０８に接続しないＧＰＳ内蔵独立型デバイス（図示せず）は、ガソリンスタンドの情報を記録又は記憶してもよいとともに、新しい／変更ＰＯＩを、ネットワーク端末デバイス１１２又はＧＰＳ内蔵端末デバイス１１４のような、新しい／変更ＰＯＩをアップロードするようにネットワーク１０８にアクセス可能な端末デバイスに転送してもよい。
【００２９】
もし前記ＰＯＩがシステム１５０からダウンロードするものであるならば、ＰＯＩ検索は、ネットワーク端末デバイス１１２又はＧＰＳ内蔵端末デバイス１１４に、検索語を入力することによって開始してもよい。検索語は、国名、ジップコード、又は特定のカテゴリーのようなインデックス・キーワードを具備してもよい。その結果、ＰＯＩデータベース１２０内に格納した所望のＰＯＩは、パワーエンジン１０６を通じて検索してもよいとともに、特定フォーマット・ドキュメントにおいて、ネットワーク端末デバイス１１２及び／又はＧＰＳ内蔵端末デバイス１１４にダウンロードしてもよい。一実施形態において、特定フォーマット・ドキュメントは、ネットワーク端末デバイス１１２又はＧＰＳ内蔵端末デバイス１１４によって、読出し及び変更してもよい。特定フォーマット・ドキュメントはまた、内蔵したＧＰＳを用いてＧＰＳ内蔵端末デバイス１１４のスクリーン上に図示して表示してもよい。
【００３０】
一実施形態において、検索語に加えて位置情報（例えば、緯度情報、経度情報、及び高度情報）もまた、ＰＯＩ検索を開始するために、ネットワーク内蔵端末デバイス１１２及び／又はＧＰＳ内蔵端末デバイス１１４によってシステム１５０に入力してもよい。その結果、ネットワーク内蔵端末デバイス１１２及び／又はＧＰＳ内蔵端末デバイス１１４は、入力位置からプリセット距離内における所望のＰＯＩプリセット番号情報（例えば、アドレス、ウェブサイト、写真など）を得てもよい。例えば、ＧＰＳ内蔵端末デバイス１１４の緯度情報及び経度情報を入力することによって、ＧＰＳ内蔵端末デバイス１１４は、ＧＰＳ内蔵端末デバイス１１の現在位置からプリセット距離内における所望のＰＯＩプリセット番号情報を得てもよい。
【００３１】
一実施形態において、所望のＰＯＩに対するナビゲーションは、ＧＰＳ信号を受信及び送信することにより、ＧＰＳ内蔵端末デバイス１１４によって可能としてもよい。ＧＰＳ内蔵端末デバイス１１４の現在位置から、プリセット距離内における所望のＰＯＩプリセット番号を検索及びダウンロードした後、所望のＰＯＩに対するナビゲーション情報は、一実施形態においては、第１ＳＮＳ信号（例えば、ＧＰＳ信号）をＳＮＳ（例えば、ＧＰＳ）に送信するとともに、第２ＳＮＳ信号をＳＮＳから受信することによって、ＧＰＳ内蔵端末デバイス１１４のスクリーン上に示してもよい。
【００３２】
図２に示すように、本発明の一実施形態によるＰＯＩ情報システム２００を説明する。図１における符号と同じ符号を付した図２における構成要素は、同様の機能を有する。ＰＯＩ情報システム２００は、システム２５０と、システム２５０に接続するネットワーク１０８と、１又は２以上の端末デバイスを具備している。一実施形態において、端末デバイスは、ネットワーク端末デバイス１１２又はＧＰＳ内蔵端末デバイス１１４であってもよい。  
【００３３】
一実施形態において、前記システム２５０は、地図データベース２０２と、上位エンジン２０４と、パワーエンジン１０６と、ＰＯＩデータベース１２０とを具備している。
【００３４】
前記地図データベース２０２は、緯度座標及び経度座標に基づいたデジタル地図を格納している。デジタル地図は、道路情報、地形情報、及び類似の情報を具備してもよい。一実施形態において、ＰＯＩデータベース１２０と同様に、地図データベース２０２もまた、ネットワーク端末デバイス１１２及び／又はＧＰＳ内蔵端末デバイス１１４によってアクセス及び更新してもよいオープン・データベースである。すなわち、オープン・アーキテクチャーを有する地図データベース２０２は、ネットワーク端末デバイス１１２及び／又はＧＰＳ内蔵端末デバイス１１４に、ネットワーク１０８経由でデジタル地図を提供してもよいとともに、ネットワーク端末デバイス１１２及び／又はＧＰＳ内蔵端末デバイス１１４は、地図データベース２０２を更新するために、変更したデジタル地図をネットワーク１０８経由でアップロードしてもよい。
【００３５】
前記上位エンジン２０４は、ＰＯＩデジタル地図を出力するために、ＰＯＩデータベース１２０内の所望のＰＯＩを有する地図データベース２０２内に、少なくとも１つのデジタル地図を組み合わせるように用いてもよい。ＰＯＩデジタル地図上において、ＰＯＩデータベース１２０内の所望のＰＯＩは、例えば対応する緯度及び経度のような対応する位置における地図上に示してもよい。
【００３６】
一実施形態において、ＰＯＩはＰＯＩデジタル地図上の異なるカテゴリーによって、異なるアイコンとして示す。例えば、一型式のアイコンはレストランを指し示すように用いてもよいとともに、他の型式のアイコンは病院を表すように用いてもよい。
【００３７】
前記システム２５０にＰＯＩをアップロードするプロセスは、システム１５０にアップロードするプロセスと同様である。もしＰＯＩがシステム２５０からダウンロードするものであるならば、ＰＯＩ検索は、ネットワーク端末デバイス１１２及び／又はＧＰＳ内蔵端末デバイス１１４によって、システム２５０に検索語を入力することによって開始してもよい。その結果、対応位置においてダウンロードＰＯＩによってマークしたＰＯＩデジタル地図は、一実施形態においては、ネットワーク端末デバイス１１２及び／又はＧＰＳ内蔵端末デバイス１１４のスクリーン上に図示して表示してもよい。
【００３８】
一実施形態において、検索語に加えて位置情報もまた、ＰＯＩ検索を開始するために、ネットワーク内蔵端末デバイス１１２及び／又はＧＰＳ内蔵端末デバイス１１４によってシステム１５０に入力してもよい。その結果、ＰＯＩデジタル地図が生成し、その地図上において、入力位置からプリセット距離内における所望のＰＯＩプリセット番号情報をマークする。一実施形態において、所望のＰＯＩでマークしたＰＯＩデジタル地図は、ネットワーク内蔵端末デバイス１１２及び／又はＧＰＳ内蔵端末デバイス１１４にダウンロードしてもよい。
【００３９】
例えば、前記ＧＰＳ内蔵端末デバイス１１４は、ＧＰＳ内蔵端末デバイス１１４の現在位置及び検索語を入力することによって、ＰＯＩ検索を開始するように用いてもよい。所望のＰＯＩは、ＧＰＳ内蔵端末デバイス１１４にダウンロードしてもよい。例えば、ＧＰＳ内蔵端末デバイス１１４の緯度情報及び経度情報と、検索語とを入力することによって、ＰＯＩデジタル地図が生成し、その地図上において、ＧＰＳ内臓端末デバイス１１４の現在位置からプリセット距離内における所望のＰＯＩプリセット番号情報をマークする。
【００４０】
前記システム２５０は、異なる必要条件と互換性があってもよい。例えば、システム２５０のＰＯＩデータベース内のＰＯＩはまた、地図データベース２０２内のデジタル地図を組み込むことなしに、特定フォーマット・ドキュメント経由で、ネットワーク内蔵端末デバイス１１２及び／又はＧＰＳ内蔵端末デバイス１１４に転送してもよい。この状況において、上位エンジン２０４及び地図データベース２０２は、検索プロセス及びダウンロードプロセス中に活性化することはない。
【００４１】
図３に示すように、図１におけるＰＯＩ情報システム１００及び／又は図２におけるＰＯＩ情報システム２００によって実行する処理を示すフローチャート３００は、本発明の一実施形態によって説明する。図３は、図１及び図２の組み合わせにおいて記載する。
【００４２】
ステップ３１０において、新しい／変更ＰＯＩは端末デバイス（例えば、ネットワーク端末デバイス１１２又はＧＰＳ内蔵端末デバイス１１４）で生成する。例えば、もしＧＰＳ内蔵端末デバイス１１４がガソリンスタンドに位置しているならば、ＧＰＳ内蔵端末デバイス１１４は、ＧＰＳ信号を通じて新しい／変更ＰＯＩとしてガソリンスタンドの位置情報を生成してもよい。他の実施形態において、ネットワーク１０８に接続しないＧＰＳ内蔵独立型デバイス（図示せず）は、ガソリンスタンドの情報を新しい／変更ＰＯＩとして記録又は記憶してもよい。
【００４３】
ステップ３１２において、新しい／変更ＰＯＩは、ＳＮＳに対して用いたＰＯＩをネットワーク１０８経由で格納するＰＯＩデータベース１２０にアップロードする。例えば、ネットワーク端末デバイス１１２又はＧＰＳ内蔵端末デバイス１１４によって提供する新しい／変更ＰＯＩは、ネットワーク１０８及びパワーエンジン１０６経由で、ＰＯＩデータベース１２０にアップロード／転送してもよい。
【００４４】
ステップ３１４において、前記ＰＯＩデータベース１２０は、新しい／変更ＰＯＩによって更新する。パワーエンジン１０６は、ネットワーク端末デバイス１１２又はＧＰＳ内蔵端末デバイス１１４から、新しい／変更ＰＯＩを受信してもよいとともに、ＰＯＩデータベース１２０に新しい／変更ＰＯＩをアップロードすることによって、ＰＯＩデータベース１２０を更新してもよい。
【００４５】
ステップ３１６において、ＰＯＩはネットワーク１０８経由で、ＰＯＩデータベース１２０から、ネットワーク端末デバイス１１２又はＧＰＳ内蔵端末デバイス１１４にダウンロードする。ＰＯＩは、ネットワーク端末デバイス１１２又はＧＰＳ内蔵端末デバイス１１４に検索語を入力することによって、システム１５０内において検索する。その後、ＰＯＩデータベース１２０内の所望のＰＯＩは、特定フォーマット・ドキュメントにおいて、パワーエンジン１０６を通じて、ネットワーク端末デバイス１１２又はＧＰＳ内蔵端末デバイス１１４にダウンロードしてもよい。特定フォーマット・ドキュメントは、ネットワーク端末デバイス１１２又はＧＰＳ内蔵端末デバイス１１４によって、読出し及び変更してもよい。特定フォーマット・ドキュメントはまた、内蔵したＧＰＳを用いてＧＰＳ内蔵端末デバイス１１４のスクリーン上に図示して表示してもよい。一実施形態において、システム２５０によって生成したＰＯＩデジタル地図はダウンロードしてもよく、一実施形態においては、ネットワーク端末デバイス１１２及び／又はＧＰＳ内蔵端末デバイス１１４のスクリーン上に示してもよい。ＰＯＩデジタル地図上において、所望のＰＯＩは対応位置における地図上に示してもよい。
【００４６】
上記の記載及び図面は本発明の実施形態を表すが、添付の特許請求の範囲において定義したような本発明の原理の精神及び範囲から逸脱することなく、本明細書において様々な追加、変更、及び置換が可能であることを理解するべきである。当業者は、本発明が、形式、構造、再編成、比率、材料、構成要素、及び構成部品の多くの変更を有して用いてもよく、その場合、本発明の精神から逸脱することなく、特に特定環境及び有効な必要条件に適用する本発明の実施において用いてもよいことを正当に理解する。開示した本実施形態は、それゆえ全ての観点において説明的であって限定的ではなく、添付の特許請求の範囲及びそれらの合法的な均等物によって意味する本発明の範囲であると考えられるべきであり、上記の記載に限定されるものではない。
【符号の説明】
【００４７】
１０６・・・パワーエンジン
１０８・・・ネットワーク
１１２・・・ネットワーク端末デバイス
１１４・・・ＧＰＳ内蔵端末デバイス
１２０・・・ＰＯＩデータベース
【図１】
2010211178.tif 000003
【図２】
2010211178.tif 000004
【図３】
2010211178.tif 000005